(57)【要約】【課題】  短い時間でパテ施工のためのパテや糊等を良好に撹拌混合することができ、被撹拌物に泡の発生が少ない混合装置用撹拌羽根を得る。【解決手段】  本体上で駆動装置により水平面内で回転される回転テーブルと、混合すべき材料を収容した容器の外底部を回転テーブル上に着脱可能に保持する保持手段と、駆動装置により本体側で一定の角度範囲で揺動する揺動軸と、保持された容器内に一端部が位置するように他端部で揺動軸に着脱自在に取付けられた略逆Ｕ字の撹拌具とを備えた混合装置の撹拌具の一端部に配され、容器内の材料を回転テーブルによる容器の回転と撹拌具の揺動との相対運動によって撹拌混合する混合装置用撹拌羽根において、撹拌羽根が揺動運動面に対して垂直な立て板部と揺動運動面に対して傾斜した傾斜板部とを備える。【選択図】      図２
2007069139.tif 000002
【特許請求の範囲】
【請求項１】
駆動装置を備えた本体と、本体上で駆動装置により水平面内で回転される回転テーブルと、混合すべき材料を収容した容器の外底部を回転テーブル上に着脱可能に保持する保持手段と、駆動装置により本体側で一定の角度範囲で揺動する揺動軸と、回転テーブル上に保持された容器内に一端部が位置するように他端部で揺動軸に着脱自在に取付けられた略逆Ｕ字の撹拌具とを備えた混合装置の撹拌具の一端部に配され、容器内の材料を回転テーブルによる容器の回転と撹拌具の揺動との相対運動によって撹拌混合する混合装置用撹拌羽根において、
前記撹拌羽根が、揺動運動面に対して垂直な立て板部と、揺動運動面に対して傾斜した傾斜板部とを備えたことを特徴とする混合装置用撹拌羽根。
【請求項２】
前記立て板部と傾斜板部とが、折曲面で連続して形成されていることを特徴とする請求項１に記載の混合装置用撹拌羽根。
【請求項３】
前記羽根板材が、一方の立て材が他方の立て材より長い略Ｕ字状の板材を、一方の長い立て材の下方で中央部のスリット端部と羽根板材角部とを含む線分の方向に沿って曲折して、長い立て材からなる立て板部と短い立て材からなる傾斜板部とを形成したような外観を備えていることを特徴とする請求項２に記載の混合装置用撹拌羽根。
【請求項４】
前記略Ｕ字状の板材の間隙幅が傾斜板部の幅よりも大きいことを特徴とする請求項３に記載の混合装置用撹拌羽根。
【発明の詳細な説明】
【技術分野】
【０００１】
本発明は、内装工事、塗装工事等で下地調整を目的としたパテ施工のためのパテや、壁装材を貼着するためのペースト状接着剤等を調整するための混合装置用の撹拌羽根に関するものである。
【背景技術】
【０００２】
本出願人は、例えば内装工事、塗装工場等で下地調整を目的としたパテ施工のためのパテを撹拌混合する混合装置を既に提案している（例えば、特許文献１参照）。この混合装置は、パテと水等の被混合物を内部に保持した混合容器を水平に回転させる回転テーブルと、撹拌羽根を一端部に保持した逆Ｕ字状の撹拌具の他端部を装着する枢支部とを備える。
【０００３】
枢支部は一定角度範囲で揺動して撹拌羽根を容器内に配置した撹拌具に水平面内の揺動運動を与え、混合容器内の被混合物を回転テーブルによる容器回転と撹拌具揺動との相対運動によって容器内の被混合物を撹拌混合するものである。
【０００４】
また、この混合装置の改良技術として、少量の被混合物でも均一に且つ効率的に撹拌混合できる混合装置（特許文献２参照）や、コンパクト化・軽量化を達成した混合装置（特許文献３参照）をも提案している。
【特許文献１】実開平７−２４４３３号公報
【特許文献２】特開２０００−１１７０８４
【特許文献３】特開２０００−１２６５７４
【発明の開示】
【発明が解決しようとする課題】
【０００５】
この混合装置の被混合物はパテだけでなく、水で薄めて規定の濃度にして使用されるペースト状接着剤（以下、ペースト糊と記す）を所定量の希釈水と混合する際にも人的労力を使用せずに、良好に使用できる。即ち、壁紙施工用接着剤であるペースト状糊は、濃度の濃いペースト状であり、水を加えて良く混合し、規定の濃度にして使用されるものである。業務上で使用するペースト糊は１８ｋｇあり、希釈水が５０〜６０重量％であるため、２７〜２９ｋｇにもなるため、電動ドリルの回転軸に撹拌羽根を挿着した撹拌機で均一に調整するには大変な量力が必要であった。
【０００６】
本発明は、前述の内装工事、塗装工事等で下地調整を目的としたパテ施工のためのパテや、壁装材を貼着するための糊等を無人で混合撹拌するための混合装置用の撹拌羽根であって、短い時間で良好に撹拌混合することができ、尚且つ、被撹拌物に泡の発生が少ない混合装置用撹拌羽根を得ることを目的とする。更に、製造が容易な簡略な撹拌羽根を得ることを別な目的とする。
【課題を解決するための手段】
【０００７】
請求項１に記載された発明に係る混合装置用撹拌羽根は、駆動装置を備えた本体と、本体上で駆動装置により水平面内で回転される回転テーブルと、混合すべき材料を収容した容器の外底部を回転テーブル上に着脱可能に保持する保持手段と、駆動装置により本体側で一定の角度範囲で揺動する揺動軸と、回転テーブル上に保持された容器内に一端部が位置するように他端部で揺動軸に着脱自在に取付けられた略逆Ｕ字の撹拌具とを備えた混合装置の撹拌具の一端部に配され、容器内の材料を回転テーブルによる容器の回転と撹拌具の揺動との相対運動によって撹拌混合する混合装置用撹拌羽根において、
前記撹拌羽根が、揺動運動面に対して垂直な立て板部と、揺動運動面に対して傾斜した傾斜板部とを備えたことを特徴とするものである。
【０００８】
請求項２に記載された発明に係る混合装置用撹拌羽根は、請求項１に記載の立て板部と傾斜板部とが、折曲面で連続して形成されていることを特徴とするものである。
【０００９】
請求項３に記載された発明に係る混合装置用撹拌羽根は、請求項２に記載の羽根板材が、一方の立て材が他方の立て材より長い略Ｕ字状の板材を、一方の長い立て材の下方で中央部のスリット端部と羽根板材角部とを含む線分の方向に沿って曲折して、長い立て材からなる立て板部と短い立て材からなる傾斜板部とを形成したような外観を備えていることを特徴とするものである。
【００１０】
請求項４に記載された発明に係る混合装置用撹拌羽根は、請求項３に記載の略Ｕ字状の板材の間隙幅が傾斜板部の幅よりも大きいことを特徴とするものである。
【発明の効果】
【００１１】
本発明は以上説明した通り、無人で短い時間で良好に撹拌混合することができ、尚且つ、被撹拌物に泡の混入が少ない混合装置用撹拌羽根を得ることができる。また、製造が容易な簡略な撹拌羽根を得ることができるという効果がある。
【発明を実施するための最良の形態】
【００１２】
本発明においては、駆動装置を備えた本体と、本体上で駆動装置により水平面内で回転される回転テーブルと、混合すべき材料を収容した容器の外底部を回転テーブル上に着脱可能に保持する保持手段と、駆動装置により本体側で一定の角度範囲で揺動する揺動軸と、回転テーブル上に保持された容器内に一端部が位置するように他端部で揺動軸に着脱自在に取付けられた略逆Ｕ字の撹拌具とを備えた混合装置の撹拌具の一端部に配され、容器内の材料を回転テーブルによる容器の回転と撹拌具の揺動との相対運動によって撹拌混合する混合装置用撹拌羽根において、前記撹拌羽根が、揺動運動面に対して垂直な立て板部と、揺動運動面に対して傾斜した傾斜板部とを備える。このため、無人で短い時間で良好に撹拌混合することができ、尚且つ、被撹拌物に泡の発生が少ない混合装置用撹拌羽根を得ることができる。
【００１３】
即ち、本発明の混合装置においては、容器を回転テーブルにより水平面内で回転させつつ、容器内に配置した撹拌羽根の揺動運動によって、容器内の被撹拌物を撹拌するものであり、本発明の撹拌羽根は、揺動運動面に対して垂直な立て板部は容器の回転運動に伴う揺動運動により、被撹拌物を水平面方向に拡散させる効果を有する。また、揺動運動面に対して傾斜した傾斜板部では、容器の回転運動に伴う揺動運動により、被撹拌物を上下方向に拡散させる効果を有する。これら水平方向に拡散させる運動、上下方向に拡散させる運動の２つを同時に行うことができるため、短い時間で良好に撹拌混合することができる。また、プロペラ式の撹拌装置に比べても、泡の噛み込みが少なく被撹拌物に泡の混入が少ない。
【００１４】
本発明の撹拌羽根としては、揺動運動面に対して垂直な立て板部と、揺動運動面に対して傾斜した傾斜板部とを備えるものであればよい。立て板部と傾斜板部との大きさの比率は、傾斜部が立て板部に対して余りにも小さすぎると従来の撹拌羽根と差がなく、余りにも大きすぎると、被撹拌物の上下の切り返しのみが大きくなり、良好な被撹拌物の拡散が得られない。従って、立て板部と傾斜板部との大きさの比率は、若干傾斜板部の方が小さい程度でよい。
【００１５】
また、傾斜板部の傾斜角度としては、揺動する傾斜板部によって上下の良好な被撹拌物の拡散が得られ、空気が噛み込まない傾斜であれば良く、例えば、水平面に対して３０°〜７０°の間で選択される。
【００１６】
撹拌羽根の素材としては、撹拌時に破損のおそれがなければ、種々のものを使用することができる。例えば、樹脂製、金属製等が利用できるが、好ましくは、金属製がその加工性及び耐久性が高く好適である。
【００１７】
好ましい態様としては、立て板部と傾斜板部とが、折曲面で連続して形成されているものが挙げられる。より好ましい態様としては、羽根板材が、一方の立て材が他方の立て材より長い略Ｕ字状の板材を、一方の長い立て材の下方で中央部のスリット端部と羽根板材角部とを含む線分の方向に沿って曲折して、長い立て材からなる立て板部と短い立て材からなる傾斜板部とを形成したような外観を備えている。
【００１８】
本発明の羽根板材は、ダイキャストで、立て板部と傾斜板部とが曲折面で連続して形成されている状態のものを作製してもよい。好ましくは、一方の立て材が他方の立て材より長い略Ｕ字状の板材を作製した後に、一方の長い立て材の下方で中央部のスリット端部と羽根板材角部とを含む線分の方向に沿って曲折して、長い立て材からなる立て板部と短い立て材からなる傾斜板部とを形成してもよい。これにより、単純な平板状の金型で作製できる利点を備える。
【００１９】
また、ダイキャストではなく、金属製の一枚板材から切り出した羽根板材の一部を曲折して立て板部と傾斜板部とを作製してもよい。より具体的には、羽根板材として一方の立て材が他方の立て材より長い略Ｕ字状に切り出し、一方の長い立て材の下方で中央部のスリット端部と羽根板材角部とを含む線分の方向に沿って曲折して、長い立て材からなる立て板部と短い立て材からなる傾斜板部とを形成する。これにより、製造が容易な簡略な撹拌羽根を得ることができるという利点もある。尚、金属製の一枚板材から切り出す際には、角部等は丸みを持たせる等して、本撹拌羽根を取り扱いう際に作業者が怪我することがないように安全対策を講じることは言うまでもない。
【００２０】
本発明の羽根板材としては、略Ｕ字状の板材の間隙幅が傾斜板部の幅よりも大きくする。これにより、撹拌効率が向上し、使用後の洗浄が容易となる利点がある。
【実施例】
【００２１】
図１は本発明の撹拌羽根を備えた混合装置の一実施例の構成を示す説明図である。図に示す通り、本実施例の混合装置１０は、本体１１内部にモータ（図示せず）を備え、モータの駆動により回転テーブル１２と、揺動軸１５とを駆動する。回転テーブル１２は、モータの駆動により本体１１上に水平に取付けられ水平面内で回転される。回転テーブルには、被撹拌物１９を収容した容器１３の外底部を着脱可能に保持する保持手段１４が備わっている。
【００２２】
また、揺動軸１５は、回転テーブル１２の側方に配され、モータの駆動により一定の角度範囲で揺動する。揺動軸１５には、一端部に撹拌羽根２０を備えた撹拌具１６の他端部が着脱自在に取付けられる。具体的には、揺動軸１５と撹拌具１６の後端部とはキー（例えば、平キー等）でしっかりと結合されている。撹拌具１６が上方に外れないように、撹拌部１６の後端部には、揺動軸の該当部分に形成された溝１７に嵌るフック１８が設けられている。
【００２３】
撹拌具１６は、略逆Ｕ字状の外観であり、一端部は回転テーブル１２上に保持された容器１３内に位置するように形成されている。この一端部には、回転テーブル１２の回転によって容器が回転すると共に撹拌具１６の揺動運動により被撹拌物１９を良好に拡散する撹拌羽根２０が備わっている。
【００２４】
図２は本発明の撹拌羽根の一実施例の構成を示す斜視図である。図３は図２の撹拌羽根の正面図（ａ図）と背面図（ｂ図）である。図４は図２の平面図（ａ図）と底面図（ｂ図）である。図５は図２の右側面図（ａ図）と左側面図（ｂ図）である。
【００２５】
図に示す通り、本実施例の撹拌羽根２０は、金属製であり、大きく分けて揺動運動面に対して垂直な立て板部２１と、揺動運動面に対して傾斜した傾斜板部２２とを備える。立て板部２１の上端部は略逆Ｕ字状の撹拌具１６の一端と溶接して一体となっている。立て板部２１は、撹拌具１６の揺動運動面に対して垂直で、その平面は、図４に示す通り、撹拌具１６の軸面に対して約４５°の斜めに配されている。即ち、立て板部２１は、撹拌具の揺動運動の際に、容器の回転運動に伴う揺動運動により、被撹拌物を水平面方向に拡散させることとなる。
【００２６】
傾斜板部２２は、立て板部２１の下方部分を折り曲げて形成されている。即ち、撹拌羽根を折り曲げる前の撹拌板材としては、一方の立て材が他方の立て材より長い略Ｕ字状の平板に成型される。一方の長い立て材の下方で中央部のスリット端部と羽根板材角部とを含む線分を曲折部２３として曲折して、長い立て材からなる立て板部２１と短い立て材からなる傾斜板部２２とを形成したものである。従って、傾斜板部２２は、撹拌具の揺動運動の際に、容器の回転運動に伴う揺動運動により、被撹拌物を上下方向に拡散させることとなる。
【００２７】
以上のように、本実施例の撹拌羽根２０は平板材の一部を曲折して立て板部と傾斜板部とを作製したため、製造が容易な簡略な撹拌羽根を得ることができるという利点もある。
【図面の簡単な説明】
【００２８】
【図１】本発明の撹拌羽根を備えた混合装置の一実施例の構成を示す説明図である。
【図２】本発明の撹拌羽根の一実施例の構成を示す斜視図である。
【図３】図２の撹拌羽根の正面図と背面図である。
【図４】図２の平面図と底面図である。
【図５】図２の右側面図と左側面図である。
【符号の説明】
【００２９】
１０…混合装置、
１１…装置本体、
１２…回転テーブル、
１３…容器、
１４…保持手段、
１５…揺動軸、
１６…撹拌具、
１７…溝、
１８…フック、
１９…被撹拌物、
２０…撹拌羽根、
２１…立て板部、
２２…傾斜板部、
２３…曲折部、
【図１】
2007069139.tif 000003
【図２】
2007069139.tif 000004
【図３】
2007069139.tif 000005
【図４】
2007069139.tif 000006
【図５】
2007069139.tif 000007